(57)【要約】【課題】大画面、高精細度パネルであっても、位置座標を検出するための安定した放電を発生させ、ライトペンの位置座標を正しく検出する。【解決手段】第１の方向に延びた複数の走査電極ＳＣ１〜ＳＣｎおよび維持電極ＳＵ１〜ＳＵｎと、第１の方向に交差する第２の方向に延びた複数のデータ電極Ｄ１〜Ｄｍと、を有するプラズマディスプレイパネルの駆動方法であって、１フィールド期間を、画像を表示するための画像表示サブフィールドＳＦ１〜ＳＦ８と、走査電極ＳＣ１〜ＳＣｎと維持電極ＳＵ１〜ＳＵｎとに交互にタイミング検出放電を発生させるタイミング検出パルスを印加するタイミング検出サブフィールドＳＦｏと、を含む複数のサブフィールドで構成し、タイミング検出サブフィールドＳＦｏの初期化期間Ｐｉｃにおいて、強制的に初期化放電を発生させる強制初期化動作を行う。【選択図】図４
2015084008.tif 000002
【特許請求の範囲】
【請求項１】
第１の方向に延びた複数の走査電極および維持電極と、前記第１の方向に交差する第２の方向に延びた複数のデータ電極と、を有するプラズマディスプレイパネルの駆動方法であって、
１フィールド期間を、画像を表示するための画像表示サブフィールドと、前記走査電極と前記維持電極とに交互にタイミング検出放電を発生させるタイミング検出パルスを印加するタイミング検出サブフィールドと、を含む複数のサブフィールドで構成し、
前記タイミング検出サブフィールドの初期化期間において、強制的に初期化放電を発生させる強制初期化動作を行うことを特徴とするプラズマディスプレイパネルの駆動方法。
【請求項２】
前記タイミング検出サブフィールドの初期化期間において、前記走査電極に前記タイミング検出パルスよりも高い電圧まで上昇する上り傾斜電圧を印加して前記強制初期化動作を行うことを特徴とする請求項１に記載のプラズマディスプレイパネルの駆動方法。
【請求項３】
１フィールド期間を、前記画像表示サブフィールドと、前記タイミング検出サブフィールドと、前記データ電極にｙ座標検出電圧を印加したまま前記走査電極にｙ座標検出パルスを順次印加するｙ座標検出サブフィールドと、前記走査電極にｘ座標検出電圧を印加したまま前記データ電極にｘ座標検出パルスを順次印加するｘ座標検出サブフィールドと、を含む複数のサブフィールドで構成したことを特徴とする請求項１に記載のプラズマディスプレイパネルの駆動方法。
【請求項４】
第１の方向に延びた複数の走査電極および維持電極と前記第１の方向に交差する第２の方向に延びた複数のデータ電極とを有するプラズマディスプレイパネルと、１フィールド期間を複数のサブフィールドで構成して前記プラズマディスプレイパネルを駆動する駆動回路とを備えたプラズマディスプレイ装置であって、
前記駆動回路は、
前記１フィールド期間を、画像を表示するための画像表示サブフィールドと、前記走査電極と前記維持電極とに交互にタイミング検出放電を発生させるタイミング検出パルスを印加するタイミング検出サブフィールドと、前記データ電極にｙ座標検出電圧を印加したまま前記走査電極にｙ座標検出パルスを順次印加するｙ座標検出サブフィールドと、前記走査電極にｘ座標検出電圧を印加したまま前記データ電極にｘ座標検出パルスを順次印加するｘ座標検出サブフィールドと、を含む複数のサブフィールドで構成し、
前記タイミング検出サブフィールドの初期化期間において、強制的に初期化放電を発生させる強制初期化動作を行う構成であることを特徴とするプラズマディスプレイ装置。
【請求項５】
請求項４に記載のプラズマディスプレイ装置と、前記プラズマディスプレイパネルの発光を受光して受光信号を出力するライトペンとを備え、
前記ライトペンは、前記プラズマディスプレイパネルの発光を受光して受光信号を出力する受光素子と、前記ｙ座標検出サブフィールドおよび前記ｘ座標検出サブフィールドと同期した座標基準信号を前記受光信号にもとづき作成するタイミング検出回路と、前記ライトペンが指示す前記プラズマディスプレイ装置の表示画面上の座標を前記座標基準信号と前記受光信号にもとづき算出する座標算出回路と、前記座標算出回路が算出した座標を前記プラズマディスプレイ装置に送信する送信回路とを有し、
前記プラズマディスプレイ装置は、前記ライトペンから送信された座標を受信する受信回路と、前記受信回路で受信した座標にもとづき描画信号を作成する描画回路とを有することを特徴とするプラズマディスプレイシステム。
【発明の詳細な説明】
【技術分野】
【０００１】
本発明は、プラズマディスプレイパネルの駆動方法、プラズマディスプレイ装置、およびライトペンを用いて手書き入力が可能なプラズマディスプレイシステムに関する。
【背景技術】
【０００２】
プラズマディスプレイパネル（以下、「パネル」と略記する）として代表的な交流面放電型のパネルは、１対の走査電極と維持電極とからなる表示電極対が複数形成された前面基板と、複数のデータ電極が形成された背面基板とを対向配置し、その間に多数の放電セルが形成されている。そして放電セル内でガス放電により紫外線を発生させ、この紫外線で赤色、緑色および青色の各色の蛍光体を励起発光させてカラー表示を行う。
【０００３】
パネルを駆動する方法としては、１フィールド期間を複数のサブフィールドで構成し、発光させるサブフィールドの組み合わせによって階調表示を行うサブフィールド法が一般的である。各サブフィールドは、初期化期間、書込み期間および維持期間を有する。初期化期間では初期化放電を発生し、続く書込み動作に必要な壁電荷を形成する初期化動作を行う。書込み期間では、表示する画像に応じて放電セルで選択的に書込み放電を発生し壁電荷を形成する。そして維持期間では、走査電極と維持電極とに交互に維持パルスを印加して維持放電を発生させ、対応する放電セルの蛍光体層を発光させることにより画像表示を行う。
【０００４】
近年は、このようなパネルを用いて、黒板やホワイトボードのように、表示画面上から、文字や絵などを入力できる電子黒板としての応用も検討されている。例えば特許文献１には、１フィールド期間を複数のサブフィールドに分割し、各サブフィールドにおける発光時間を異なる値に設定して階調表示を可能にするとともに、横座標検出用サブフィールドを設け、このサブフィールド期間内に横座標検出用パターンを表示させ、この横座標検出サブフィールドの発光をライトペンにて検出し、その発光タイミングからライトペンの示している横座標を求めるプラズマディスプレイ装置が記載されている。
【０００５】
また特許文献２には、位置座標検出時にのみ１フィールド中に位置座標検出期間を設けて、この期間内に走査ドライバおよびデータドライバに表示位置検出用の駆動信号を出力して、プラズマディスプレイパネル上に位置座標検出用の光信号を発生させ、ライトペンの光信号を検出するタイミングにより位置座標を検出する方法が記載されている。
【先行技術文献】
【特許文献】
【０００６】
【特許文献１】特開昭５０−１０８８３８号公報
【特許文献２】特開２００１−３１８７６５号公報
【発明の概要】
【発明が解決しようとする課題】
【０００７】
近年、パネルはますます大画面化、高精細度化する傾向にある。しかしながらパネルを大画面化すると、全ての放電セルの放電特性を均一に揃えることが難しくなる。あるいは放電セルまでの電流経路のインピーダンスが増加して各放電セルに印加される電圧のばらつきが大きくなる。またパネルを高精細化すると、隣接する放電セルの放電の影響を受けて放電セル内の壁電荷が変化しやすくなる。あるいは僅かな壁電荷の変動が大きな電圧変動を引き起こす。このようにパネルを大画面化、高精細度化すると、パネルの駆動マージンを低下させる要因が増加して、放電が不安定になる傾向がある。
【０００８】
さらに、大画面、高精細度パネルを電子黒板として応用する場合、ライトペンの水平方向および垂直方向の位置座標を検出するために、パネルの各電極に特殊な駆動電圧波形を印加する必要が生じる。特に、ライトペンとプラズマディスプレイ装置の間で同期を取るために設けられた駆動電圧波形で放電が不安定になると、座標検出精度が低下する、あるいは、座標の原点がずれて検出した座標が大きく狂ってしまうといった課題があった。
【０００９】
本発明は上記の課題に鑑みなされたものであり、大画面、高精細度パネルであっても、位置座標を検出するための安定した放電を発生させ、ライトペンの位置座標を正しく検出することができるプラズマディスプレイパネルの駆動方法、プラズマディスプレイ装置、およびライトペンを用いて描画可能なプラズマディスプレイシステムを提供することを目的とする。
【課題を解決するための手段】
【００１０】
上記目的を達成するために本発明は、第１の方向に延びた複数の走査電極および維持電極と、第１の方向に交差する第２の方向に延びた複数のデータ電極と、を有するプラズマディスプレイパネルの駆動方法であって、１フィールド期間を、画像を表示するための画像表示サブフィールドと、走査電極と維持電極とに交互にタイミング検出放電を発生させるタイミング検出パルスを印加するタイミング検出サブフィールドと、を含む複数のサブフィールドで構成し、タイミング検出サブフィールドの初期化期間において、強制的に初期化放電を発生させる強制初期化動作を行うことを特徴とする。この方法により、大画面、高精細度パネルであっても、位置座標を検出するための安定した放電を発生させ、ライトペンの位置座標を正しく検出することができるプラズマディスプレイパネルの駆動方法を提供することができる。
【００１１】
また本発明のプラズマディスプレイパネルの駆動方法は、タイミング検出サブフィールドの初期化期間において、走査電極にタイミング検出パルスよりも高い電圧まで上昇する上り傾斜電圧を印加して強制初期化動作を行ってもよい。
【００１２】
また本発明のプラズマディスプレイパネルの駆動方法は、１フィールド期間を、画像表示サブフィールドと、タイミング検出サブフィールドと、データ電極にｙ座標検出電圧を印加したまま走査電極にｙ座標検出パルスを順次印加するｙ座標検出サブフィールドと、走査電極にｘ座標検出電圧を印加したままデータ電極にｘ座標検出パルスを順次印加するｘ座標検出サブフィールドと、を含む複数のサブフィールドで構成してもよい。
【００１３】
また本発明は、第１の方向に延びた複数の走査電極および維持電極と第１の方向に交差する第２の方向に延びた複数のデータ電極とを有するプラズマディスプレイパネルと、１フィールド期間を複数のサブフィールドで構成してプラズマディスプレイパネルを駆動する駆動回路とを備えたプラズマディスプレイ装置であって、駆動回路は、１フィールド期間を、画像を表示するための画像表示サブフィールドと、走査電極と維持電極とに交互にタイミング検出放電を発生させるタイミング検出パルスを印加するタイミング検出サブフィールドと、データ電極にｙ座標検出電圧を印加したまま走査電極にｙ座標検出パルスを順次印加するｙ座標検出サブフィールドと、走査電極にｘ座標検出電圧を印加したままデータ電極にｘ座標検出パルスを順次印加するｘ座標検出サブフィールドと、を含む複数のサブフィールドで構成し、タイミング検出サブフィールドの初期化期間において、強制的に初期化放電を発生させる強制初期化動作を行う構成であることを特徴とする。この構成により、大画面、高精細度パネルであっても、位置座標を検出するための安定した放電を発生させ、ライトペンの位置座標を正しく検出することができるプラズマディスプレイ装置を提供することができる。
【００１４】
また本発明は、上記に記載のプラズマディスプレイ装置と、プラズマディスプレイパネルの発光を受光して受光信号を出力するライトペンとを備え、ライトペンは、プラズマディスプレイパネルの発光を受光して受光信号を出力する受光素子と、ｙ座標検出サブフィールドおよびｘ座標検出サブフィールドと同期した座標基準信号を受光信号にもとづき作成するタイミング検出回路と、ライトペンが指示すプラズマディスプレイ装置の表示画面上の座標を座標基準信号と受光信号にもとづき算出する座標算出回路と、座標算出回路が算出した座標をプラズマディスプレイ装置に送信する送信回路とを有し、プラズマディスプレイ装置は、ライトペンから送信された座標を受信する受信回路と、受信回路で受信した座標にもとづき描画信号を作成する描画回路とを有することを特徴とする。この構成により、大画面、高精細度パネルであっても、位置座標を検出するための安定した放電を発生させ、ライトペンの位置座標を正しく検出することができるプラズマディスプレイシステムを提供することができる。
【発明の効果】
【００１５】
本発明によれば、大画面、高精細度パネルであっても、位置座標を検出するための安定した放電を発生させ、ライトペンの位置座標を正しく検出することができるプラズマディスプレイパネルの駆動方法、プラズマディスプレイ装置、およびライトペンを用いて描画可能なプラズマディスプレイシステムを提供することが可能となる。
【図面の簡単な説明】
【００１６】
【図１】本発明の実施の形態１におけるプラズマディスプレイ装置のパネル１０の分解斜視図である。
【図２】同プラズマディスプレイ装置のパネルの電極配列図である。
【図３】同プラズマディスプレイ装置の駆動電圧波形図である。
【図４】同プラズマディスプレイ装置の駆動電圧波形図である。
【図５】本発明の実施の形態２におけるプラズマディスプレイ装置の駆動電圧波形図である。
【図６】同プラズマディスプレイ装置の駆動電圧波形図である。
【図７】本発明の実施の形態２におけるプラズマディスプレイシステムの回路ブロック図である。
【図８】同プラズマディスプレイシステムのタイミングチャートである。
【図９】同プラズマディスプレイシステムの位置座標検出方法を説明する模式図である。
【図１０】同プラズマディスプレイシステムの描画の一例を示す模式図である。
【発明を実施するための形態】
【００１７】
以下、本発明の実施の形態におけるプラズマディスプレイシステムについて、まずパネルの駆動方法を中心に、図面を用いて説明する。
【００１８】
（実施の形態１）
図１は、本発明の実施の形態１におけるプラズマディスプレイ装置のパネル１０の分解斜視図である。ガラス製の前面基板１１上には、走査電極１２と維持電極１３とからなる表示電極対１４が複数形成されている。そして表示電極対１４を覆うように誘電体層１５が形成され、その誘電体層１５上に保護層１６が形成されている。背面基板２１上にはデータ電極２２が複数形成され、データ電極２２を覆うように誘電体層２３が形成され、さらにその上に井桁状の隔壁２４が形成されている。そして、隔壁２４の側面および誘電体層２３上には赤色、緑色および青色の各色に発光する蛍光体層２５が設けられている。
【００１９】
これら前面基板１１と背面基板２１とは、微小な放電空間を挟んで表示電極対１４とデータ電極２２とが交差するように対向配置され、その外周部をガラスフリット等の封着材によって封着されている。そして放電空間には、放電ガスとして、例えばネオンとキセノンとの混合ガスが封入されている。放電空間は隔壁２４によって複数の区画に仕切られており、表示電極対１４とデータ電極２２とが交差する部分に放電セルが形成されている。そしてこれらの放電セルが放電、発光することにより画像が表示される。
【００２０】
なお、パネル１０の構造は上述したものに限られるわけではなく、例えばストライプ状の隔壁を備えたものであってもよい。
【００２１】
図２は、本発明の実施の形態１におけるプラズマディスプレイ装置のパネル１０の電極配列図である。パネル１０には、第１の方向に延びたｎ本の走査電極ＳＣ１〜ＳＣｎ（図１の走査電極１２）およびｎ本の維持電極ＳＵ１〜ＳＵｎ（図１の維持電極１３）が配列され、第１の方向に交差する第２の方向に延びたｍ本のデータ電極Ｄ１〜Ｄｍ（図１のデータ電極２２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。ここで隣接する３本のデータ電極と１対の表示電極対との交差する部分に形成される３個の放電セルは、赤のピクセル、緑のピクセル、青のピクセルである。そして赤のピクセル、緑のピクセル、青のピクセルが一組で１つの画素を構成する。したがって、例えばパネル１０が１０８０×１９２０の画素をもつ高精細度パネルであれば、ｎ＝１０８０、ｍ＝１９２０×３＝５７６０である。以下、便宜上、第１の方向を行方向、第２の方向を列方向とそれぞれ呼称する。
【００２２】
次に、プラズマディスプレイ装置の駆動電圧波形について詳細に説明する。本実施の形態においては、１フィールド期間を、画像を表示するための複数の画像表示サブフィールドと、タイミング検出サブフィールドＳＦｏと、ｙ座標検出サブフィールドと、ｘ座標検出サブフィールドとで構成する。
【００２３】
画像表示サブフィールドは、あらかじめ定められた輝度重みを持つ複数のサブフィールドで構成され、それぞれの画像表示サブフィールドの発光・非発光を放電セル毎に制御することにより画像を表示する。
【００２４】
タイミング検出サブフィールドＳＦｏは、パネルの駆動のタイミングを検出するサブフィールドであり、ライトペンとプラズマディスプレイ装置の間で同期を取るために設けられている。
【００２５】
ｙ座標検出サブフィールドＳＦｙはライトペンが指し示す表示画面上のｙ座標を検出するためのサブフィールドである。ｘ座標検出サブフィールドＳＦｘはライトペンが指し示す表示画面上のｘ座標を検出するためのサブフィールドである。
【００２６】
まず画像表示サブフィールドの詳細について説明する。本実施の形態においては画像表示サブフィールドは、初期化期間と書込み期間と維持期間とを有する８個のサブフィールドＳＦ１〜ＳＦ８であり、サブフィールドＳＦ１〜ＳＦ８それぞれの輝度重みは、例えば（１、３４、２１、１３、８、５、３、２）である。そして最初に配置されたサブフィールドＳＦ１の初期化期間では、以前の放電の履歴にかかわらず強制的に初期化放電を発生させる強制初期化動作を行い、それ以降に配置されたサブフィールドＳＦ２〜ＳＦ８の初期化期間では、直前のサブフィールドで放電を発生させた放電セルのみで初期化放電を発生させる選択初期化動作を行う。
【００２７】
図３は、本発明の実施の形態１におけるプラズマディスプレイ装置の駆動電圧波形図であり、画像表示サブフィールドのうちのサブフィールドＳＦ１〜ＳＦ３においてパネル１０の各電極に印加する駆動電圧波形を示している。
【００２８】
サブフィールドＳＦ１の初期化期間Ｐｉａでは強制初期化動作を行う。便宜上サブフィールドＳＦ１の初期化期間Ｐｉａを第１期間Ｐｉ１と第２期間Ｐｉ２の二つの期間に分け、それぞれの期間について説明する。
【００２９】
初期化期間Ｐｉａの第１期間Ｐｉ１では、データ電極Ｄ１〜Ｄｍに電圧０（Ｖ）を印加し、維持電極ＳＵ１〜ＳＵｎに電圧０（Ｖ）を印加する。そして走査電極ＳＣ１〜ＳＣｎには電圧Ｖｉ１から正極性の電圧Ｖｉ２まで上昇する上り傾斜電圧を印加する。すると走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上に負極性の壁電圧が蓄積されるとともに、データ電極Ｄ１〜Ｄｍ上および維持電極ＳＵ１〜ＳＵｎ上には正極性の壁電圧が蓄積される。ここで、電極上の壁電圧とは電極を覆う誘電体層上、保護層上、蛍光体層上等に蓄積された壁電荷により生じる電圧を表す。こうして各放電セルの放電の履歴に依存する壁電圧のばらつきを無くし、各放電セルの壁電圧をそろえる初期化放電を発生させる。
【００３０】
初期化期間Ｐｉａの第２期間Ｐｉ２では、データ電極Ｄ１〜Ｄｍに電圧０（Ｖ）を印加し、維持電極ＳＵ１〜ＳＵｎに正極性の電圧Ｖｅを印加する。そして走査電極ＳＣ１〜ＳＣｎには電圧０（Ｖ）から負極性の電圧Ｖｉ４まで下降する下り傾斜電圧を印加する。この間に、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上の負極性の壁電圧および維持電極ＳＵ１〜ＳＵｎ上の正極性の壁電圧が弱められ、データ電極Ｄ１〜Ｄｍ上の正極性の壁電圧は書込み動作に適した値に調整される。以上により、強制的に初期化放電を行う初期化期間Ｐｉａが終了する。
【００３１】
続く書込み期間Ｐｗでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎのそれぞれには電圧Ｖｃを印加する。
【００３２】
次に、１行目の走査電極ＳＣ１に負極性の電圧Ｖａの走査パルスを印加する。そして、データ電極Ｄ１〜Ｄｍのうち１行目に発光させるべき放電セルのデータ電極Ｄｋ（ｋ＝１〜ｍ）に正極性の電圧Ｖｄの書込みパルスを印加する。すると書込みパルスを印加した放電セルのデータ電極Ｄｋ上と走査電極ＳＣ１上との交差部の電圧差は放電開始電圧を超え、データ電極Ｄｋと走査電極ＳＣ１との間および維持電極ＳＵ１と走査電極ＳＣ１との間で書込み放電が起こる。そして走査電極ＳＣ１上に正極性の壁電圧が蓄積され、維持電極ＳＵ１上に負極性の壁電圧が蓄積され、データ電極Ｄｋ上にも負極性の壁電圧が蓄積される。このようにして、１行目に発光させるべき放電セルで書込み放電を起こして各電極上に壁電圧を蓄積する書込み動作が行われる。一方、書込みパルスを印加しなかったデータ電極と走査電極ＳＣ１との交差部の電圧は放電開始電圧を超えないので、書込み放電は発生しない。
【００３３】
次に、２行目の走査電極ＳＣ２に電圧Ｖａの走査パルスを印加する。そして、データ電極Ｄ１〜Ｄｍのうち２行目に発光させるべき放電セルのデータ電極Ｄｋに電圧Ｖｄの書込みパルスを印加する。すると書込みパルスを印加した放電セルのデータ電極Ｄｋと走査電極ＳＣ２との間および維持電極ＳＵ２と走査電極ＳＣ２との間で書込み放電が起こる。一方、書込みパルスを印加しなかったデータ電極と走査電極ＳＣ２との交差部の電圧は放電開始電圧を超えないので、書込み放電は発生しない。
【００３４】
以下同様に、走査電極ＳＣ３〜ＳＣｎに走査パルスを順次印加するとともに発光させるべき放電セルのデータ電極Ｄｋに書込みパルスを印加して、３行目〜ｎ行目に発光させるべき放電セルで書込み放電を発生させる。以上により書込み期間Ｐｗが終了する。
【００３５】
続く維持期間Ｐｓでは、データ電極Ｄ１〜Ｄｍに電圧０（Ｖ）を印加する。そして走査電極ＳＣ１〜ＳＣｎに正極性の電圧Ｖｓの維持パルスを印加するとともに維持電極ＳＵ１〜ＳＵｎに電圧０（Ｖ）を印加する。すると書込み放電を起こした放電セルでは、走査電極ＳＣｉと維持電極ＳＵｉとの間で維持放電が起こり、このとき発生した紫外線により蛍光体層２５が発光する。そして走査電極ＳＣｉ上に負極性の壁電圧が蓄積され、維持電極ＳＵｉ上に正極性の壁電圧が蓄積される。さらにデータ電極Ｄｋ上にも正極性の壁電圧が蓄積される。書込み期間Ｐｗにおいて書込み放電が起きなかった放電セルでは維持放電は発生せず、初期化期間Ｐｉａの終了時における壁電圧が保たれる。
【００３６】
続いて、走査電極ＳＣ１〜ＳＣｎには電圧０（Ｖ）を印加するとともに維持電極ＳＵ１〜ＳＵｎには電圧Ｖｓの維持パルスを印加する。すると維持放電を起こした放電セルでは再び維持放電が起こり、維持電極ＳＵｉ上に負極性の壁電圧が蓄積され走査電極ＳＣｉ上に正極性の壁電圧が蓄積される。以下同様に輝度重みに応じた数の維持パルスを走査電極ＳＣ１〜ＳＣｎと維持電極ＳＵ１〜ＳＵｎとに交互に印加し、書込み期間Ｐｗにおいて書込み放電を起こした放電セルで維持放電を継続して発生させる。
【００３７】
そして維持期間Ｐｓの最後には、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から正極性の電圧Ｖｒまで上昇する上り傾斜電圧を印加する。すると、維持電極ＳＵｉ上に負極性の壁電圧、走査電極ＳＣｉ上に正極性の壁電圧がそれぞれ蓄積されているので、この間に、維持放電を発生した走査電極ＳＣｉと維持電極ＳＵｉとの間で微弱な消去放電が発生する。そしてデータ電極Ｄｋ上の正極性の壁電圧を残したまま、走査電極ＳＣｉ上および維持電極ＳＵｉ上の壁電圧を弱める。以上により維持期間Ｐｓが終了する。
【００３８】
サブフィールドＳＦ２の初期化期間Ｐｉｂでは選択初期化動作を行う。本実施の形態においては、最初に走査電極ＳＣｉとデータ電極Ｄｋとの間で選択的に初期化放電を発生させ、その後に走査電極ＳＣｉと維持電極ＳＵｉとの間で選択的に初期化放電を発生させる。便宜上サブフィールドＳＦ２の初期化期間Ｐｉｂを第３期間Ｐｉ３と第４期間Ｐｉ４との二つの期間に分け、それぞれの期間について説明する。
【００３９】
初期化期間Ｐｉｂの第３期間Ｐｉ３では、走査電極ＳＣ１〜ＳＣｎに電圧０（Ｖ）から電圧Ｖｉ４まで下降する下り傾斜電圧を印加するとともに、データ電極Ｄ１〜Ｄｍに電圧０（Ｖ）を印加し、維持電極ＳＵ１〜ＳＵｎに電圧０（Ｖ）を印加する。すると、維持電極ＳＵ１〜ＳＵｎと走査電極ＳＣ１〜ＳＣｎとの間の電圧は放電開始電圧を超えず、直前のサブフィールドＳＦ１で維持放電を起こした放電セルのデータ電極Ｄｋと走査電極ＳＣｉとの間の電圧は放電開始電圧を超える。そして、走査電極ＳＣｉとデータ電極Ｄｋとの間で微弱な初期化放電が発生し、維持放電によって蓄積されたデータ電極Ｄｋ上の正極性の壁電圧の過剰な部分が放電され、書込み動作に適した壁電圧に調整される。一方、直前のサブフィールドＳＦ１で維持放電を起こさなかった放電セルでは放電は発生せず、直前のサブフィールドＳＦ１の初期化期間Ｐｉａ終了時における壁電圧が保たれる。
【００４０】
初期化期間Ｐｉｂの第４期間Ｐｉ４では、走査電極ＳＣ１〜ＳＣｎに電圧Ｖｉ４まで下降する下り傾斜電圧を印加するとともに、データ電極Ｄ１〜Ｄｍに電圧０（Ｖ）を印加し、維持電極ＳＵ１〜ＳＵｎには電圧０（Ｖ）より高い電圧Ｖｅを印加する。すると、直前のサブフィールドＳＦ１で維持放電を起こした放電セルの維持電極ＳＵｉと走査電極ＳＣｉとの間の電圧は放電開始電圧を超える。そして、走査電極ＳＣｉと維持電極ＳＵｉとの間で微弱な初期化放電が発生し、走査電極ＳＣｉ上および維持電極ＳＵｉ上の壁電圧が弱められる。一方、直前のサブフィールドＳＦ１で維持放電を起こさなかった放電セルでは放電は発生せず、直前のサブフィールドＳＦ１の初期化期間Ｐｉａ終了時における壁電圧が保たれる。
【００４１】
このように、サブフィールドＳＦ２の初期化期間Ｐｉｂでは、第３期間Ｐｉ３で走査電極ＳＣｉとデータ電極Ｄｋとの間の初期化放電を発生させ、第４期間Ｐｉ４で走査電極ＳＣｉと維持電極ＳＵｉとの間の初期化放電を発生させている。
【００４２】
サブフィールドＳＦ２の書込み期間Ｐｗの動作はサブフィールドＳＦ１の書込み期間Ｐｗの動作と同様であるため説明を省略する。続く維持期間Ｐｓの動作も、維持パルスの数を除いてサブフィールドＳＦ１の維持期間Ｐｓの動作と同様である。サブフィールドＳＦ３〜ＳＦ８の動作も、維持パルスの数を除いてサブフィールドＳＦ２の動作と同様である。
【００４３】
次に、タイミング検出サブフィールドＳＦｏ、ｙ座標検出サブフィールドＳＦｙ、ｘ座標検出サブフィールドＳＦｘの詳細について説明する。図４は、本発明の実施の形態１におけるプラズマディスプレイ装置の駆動電圧波形図であり、タイミング検出サブフィールドＳＦｏ、ｙ座標検出サブフィールドＳＦｙ、ｘ座標検出サブフィールドＳＦｘにおいてパネル１０の各電極に印加する駆動電圧波形を示している。またタイミング検出サブフィールドＳＦｏの直前に配置されたサブフィールドＳＦ８の維持期間Ｐｓの一部も示している。
【００４４】
タイミング検出サブフィールドＳＦｏの初期化期間Ｐｉｃでは強制初期化動作を行う。しかしながらサブフィールドＳＦ１の初期化期間Ｐｉａとは異なる駆動電圧波形を各電極に印加する。ここではタイミング検出サブフィールドＳＦｏの初期化期間Ｐｉｃを第５期間Ｐｉ５、第６期間Ｐｉ６、第７期間Ｐｉ７期間の三つの期間に分けて説明する。
【００４５】
初期化期間Ｐｉｃの第５期間Ｐｉ５では、データ電極Ｄ１〜Ｄｍに電圧０（Ｖ）を印加し、維持電極ＳＵ１〜ＳＵｎに電圧０（Ｖ）を印加する。そして走査電極ＳＣ１〜ＳＣｎには後述するタイミング検出パルスの電圧Ｖｓｏよりも高い電圧Ｖｉ２まで上昇する上り傾斜電圧を印加する。すると走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上に負極性の壁電圧が蓄積されるとともに、データ電極Ｄ１〜Ｄｍ上および維持電極ＳＵ１〜ＳＵｎ上には正極性の壁電圧が蓄積される。
【００４６】
初期化期間Ｐｉｃの第６期間Ｐｉ６では、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎには電圧０（Ｖ）から電圧Ｖｉ４まで下降する下り傾斜電圧を印加する。すると、維持電極ＳＵ１〜ＳＵｎと走査電極ＳＣ１〜ＳＣｎとの間の電圧は放電開始電圧を超えず、データ電極Ｄ１〜Ｄｍと走査電極ＳＣ１〜ＳＣｎとの間の電圧は放電開始電圧を超える。そして、走査電極ＳＣ１〜ＳＣｎとデータ電極Ｄ１〜Ｄｍとの間で微弱な初期化放電が発生し、第５期間Ｐｉ５において蓄積されたデータ電極Ｄ１〜Ｄｍ上の正極性の壁電圧の過剰な部分が放電され、書込み動作に適した壁電圧に調整される。
【００４７】
初期化期間Ｐｉｇの第７期間Ｐｉ７では、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎには電圧Ｖｉ４まで下降する下り傾斜電圧を印加する。すると、維持電極ＳＵ１〜ＳＵｎと走査電極ＳＣ１〜ＳＣｎとの間の電圧は放電開始電圧を超え、走査電極ＳＣ１〜ＳＣｎと維持電極ＳＵ１〜ＳＵｎとの間で微弱な初期化放電が発生して、走査電極ＳＣ１〜ＳＣｎ上および維持電極ＳＵ１〜ＳＵｎ上の壁電圧が弱められる。
【００４８】
このように、タイミング検出サブフィールドＳＦｏの初期化期間Ｐｉｃでは、第６期間Ｐｉ６で走査電極ＳＣ１〜ＳＣｎとデータ電極Ｄ１〜Ｄｍとの間の初期化放電を発生させ、第７期間Ｐｉ７で走査電極ＳＣ１〜ＳＣｎと維持電極ＳＵ１〜ＳＵｎとの間の初期化放電を発生させている。
【００４９】
タイミング検出サブフィールドＳＦｏの書込み期間Ｐｗでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎのそれぞれには電圧Ｖｃを印加する。その後、データ電極Ｄ１〜Ｄｍに電圧Ｖｄの書込みパルスを印加するとともに走査電極ＳＣ１〜ＳＣｎに電圧Ｖａの走査パルスを印加する。その後、全ての放電セルで書込み放電を発生させる。
【００５０】
このときデータ電極Ｄ１〜Ｄｍに書込みパルスを印加するとともに走査電極ＳＣ１〜ＳＣｎに同時に走査パルスを印加して、全ての放電セルで同時に書込み放電を発生させてもよい。しかし本実施の形態においてはそうせずに、データ電極Ｄ１〜Ｄｍに書込みパルスを印加するとともに走査電極ＳＣ１〜ＳＣｎの複数本毎に走査パルスを順次印加して書込み放電を発生させている。
【００５１】
その後、データ電極Ｄ１〜Ｄｍに電圧０（Ｖ）を印加し、走査電極ＳＣ１〜ＳＣｎのそれぞれには電圧Ｖｃを印加する。そして最後の書込み放電を発生させた時刻ｔｏ０から所定の時間Ｔｏ０この状態を保つ。所定の時間Ｔｏ０は、後述するタイミング検出放電の時間間隔に依存して設定されており、後述する時間Ｔｏ１、時間Ｔｏ２、時間Ｔｏ３よりも長く設定されている。
【００５２】
タイミング検出サブフィールドＳＦｏのタイミング検出期間Ｐｏでは、最後の書込み放電を発生させた時刻ｔｏ０から所定の時間Ｔｏ０経過後の時刻ｔｏ１において、走査電極ＳＣ１〜ＳＣｎに電圧Ｖｓｏのタイミング検出パルスを印加するとともに維持電極ＳＵ１〜ＳＵｎに電圧０（Ｖ）を印加して、全ての放電セルでタイミング検出放電を発生させる。次に、時刻ｔｏ１から時間Ｔｏ１経過後の時刻ｔｏ２において、走査電極ＳＣ１〜ＳＣｎに電圧０（Ｖ）を印加するとともに維持電極ＳＵ１〜ＳＵｎに電圧Ｖｓｏのタイミング検出パルスを印加して、再びタイミング検出放電を発生させる。次に、時刻ｔｏ２から時間Ｔｏ２経過後の時刻ｔｏ３において、走査電極ＳＣ１〜ＳＣｎに電圧Ｖｓｏのタイミング検出パルスを印加するとともに維持電極ＳＵ１〜ＳＵｎに電圧０（Ｖ）を印加して、３回目のタイミング検出放電を発生させる。続いて時刻ｔｏ３から時間Ｔｏ３経過後の時刻ｔｏ４において、走査電極ＳＣ１〜ＳＣｎに電圧０（Ｖ）を印加するとともに維持電極ＳＵ１〜ＳＵｎに電圧Ｖｓｏのタイミング検出パルスを印加して、４回目のタイミング検出放電を発生させる。本実施の形態において、時間Ｔｏ１、時間Ｔｏ２、時間Ｔｏ３は、例えばそれぞれ４０μｓ、２０μｓ、３０μｓである。またタイミング検出パルスの電圧Ｖｓｏは維持パルスの電圧Ｖｓと同じ電圧である。しかし必ずしもその必要はなく、タイミング検出放電が発生する電圧であればよい。
【００５３】
ここで、時間Ｔｏ１、時間Ｔｏ２、時間Ｔｏ３はあらかじめ定められた数列の示す３つの時間間隔であり、時間Ｔｏ１、時間Ｔｏ２、時間Ｔｏ３の間隔で発生する４回のタイミング検出放電を検出して座標基準信号を作成する。
【００５４】
そしてタイミング検出期間Ｐｏの最後には、走査電極ＳＣ１〜ＳＣｎに電圧Ｖｒまで上昇する上り傾斜電圧を印加して微弱な消去放電を発生させる。以上によりタイミング検出サブフィールドＳＦｏの動作が終了する。
【００５５】
ｙ座標検出サブフィールドＳＦｙの初期化期間Ｐｉｂでは、サブフィールドＳＦ２の初期化期間Ｐｉｂの選択初期化動作と同様の初期化動作を行う。ただし直前のタイミング検出サブフィールドＳＦｏでは全ての放電セルでタイミング検出放電を発生させているので、ここでは全ての放電セルで初期化放電が発生する。すなわち第３期間Ｐｉ３では、走査電極ＳＣ１〜ＳＣｎに電圧０（Ｖ）から電圧Ｖｉ４まで下降する下り傾斜電圧を印加するとともに、データ電極Ｄ１〜Ｄｍに電圧０（Ｖ）を印加し、維持電極ＳＵ１〜ＳＵｎに電圧０（Ｖ）を印加して、走査電極ＳＣ１〜ＳＣｎとデータ電極Ｄ１〜Ｄｍとの間で初期化放電を発生させる。続く第４期間Ｐｉ４では、走査電極ＳＣ１〜ＳＣｎに電圧Ｖｉ４まで下降する下り傾斜電圧を印加するとともに、データ電極Ｄ１〜Ｄｍに電圧０（Ｖ）を印加し、維持電極ＳＵ１〜ＳＵｎには電圧０（Ｖ）より高い電圧Ｖｅを印加して、走査電極ＳＣ１〜ＳＣｎと維持電極ＳＵ１〜ＳＵｎとの間で初期化放電を発生させる。
【００５６】
ｙ座標検出サブフィールドＳＦｙのｙ座標検出期間Ｐｙでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎのそれぞれには電圧Ｖｃを印加する。
【００５７】
次に、データ電極Ｄ１〜Ｄｍに正極性のｙ座標検出電圧Ｖｄｙを印加する。そして、１行目の走査電極ＳＣ１に負極性の電圧Ｖａｙのｙ座標検出パルスを印加する。すると１行目の放電セルのデータ電極Ｄ１〜Ｄｍ上と走査電極ＳＣ１上との交差部の電圧差は放電開始電圧を超え、データ電極Ｄ１〜Ｄｍと走査電極ＳＣ１との間および維持電極ＳＵ１と走査電極ＳＣ１との間でｙ座標検出のための放電が起こる。そして走査電極ＳＣ１上に正極性の壁電圧が蓄積され、維持電極ＳＵ１上に負極性の壁電圧が蓄積され、データ電極Ｄ１〜Ｄｍ上にも負極性の壁電圧が蓄積される。このようにして、１行目の放電セルでｙ座標検出のための放電を同時に起こして、１行目の画素行、すなわち１行目の放電セルで構成される１行目の放電セル行が発光する。
【００５８】
次に、データ電極Ｄ１〜Ｄｍにｙ座標検出電圧Ｖｄｙを印加したまま、２行目の走査電極ＳＣ２に電圧Ｖａｙのｙ座標検出パルスを印加する。するとデータ電極Ｄ１〜Ｄｍと走査電極ＳＣ２との間および維持電極ＳＵ２と走査電極ＳＣ２との間でｙ座標検出のための放電が起こり、２行目の画素行、すなわち２行目の放電セル行が発光する。以下同様に、データ電極Ｄ１〜Ｄｍにｙ座標検出電圧Ｖｄｙを印加したまま走査電極ＳＣ３〜ＳＣｎにｙ座標検出パルスを順次印加して、３行目〜ｎ行目の放電セル行を順次発光させる。
【００５９】
こうしてｙ座標検出期間Ｐｙでは、表示画面の上端部から下端部まで走査する１本の横線が表示される。そのため後述するように、ライトペンで放電セル行の発光を受光し、発光のタイミングを知ることでライトペンが示している表示画面の位置のｙ座標を検出することができる。ただし、横線の走査する速度は非常に速いので、視覚的には表示画面全体が僅かに明るくなったようにしか見えない。以上によりｙ座標検出期間Ｐｙが終了する。
【００６０】
ｘ座標検出サブフィールドＳＦｘの初期化期間Ｐｉｃではタイミング検出サブフィールドＳＦｏの初期化期間Ｐｉｃと同じ強制初期化動作を行う。すなわち、初期化期間Ｐｉｃの第５期間Ｐｉ５では、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎには電圧Ｖｉ１から電圧Ｖｉ２まで上昇する上り傾斜電圧を印加して、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電を発生させる。初期化期間Ｐｉｃの第６期間Ｐｉ６では、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎには電圧０（Ｖ）から電圧Ｖｉ４まで下降する下り傾斜電圧を印加して、走査電極ＳＣ１〜ＳＣｎとデータ電極Ｄ１〜Ｄｍとの間で微弱な初期化放電を発生させる。初期化期間Ｐｉｇの第７期間Ｐｉ７では、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎには電圧Ｖｉ４まで下降する下り傾斜電圧を印加して、走査電極ＳＣ１〜ＳＣｎと維持電極ＳＵ１〜ＳＵｎとの間で微弱な初期化放電を発生させる。
【００６１】
このように、ｘ座標検出サブフィールドＳＦｘの初期化期間Ｐｉｃでも、第６期間Ｐｉ６で走査電極ＳＣ１〜ＳＣｎとデータ電極Ｄ１〜Ｄｍとの間の初期化放電を発生させ、第７期間Ｐｉ７で走査電極ＳＣ１〜ＳＣｎと維持電極ＳＵ１〜ＳＵｎとの間の初期化放電を発生させている。
【００６２】
ｘ座標検出サブフィールドＳＦｘのｘ座標検出期間Ｐｘでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎのそれぞれには電圧Ｖｃを印加する。
【００６３】
次に、走査電極ＳＣ１〜ＳＣｎに負極性のｘ座標検出電圧Ｖａｘを印加する。そして１つの画素、すなわち赤のピクセル、緑のピクセル、青のピクセルに対応する１列目〜３列目のデータ電極Ｄ１〜Ｄ３に正極性の電圧Ｖｄｘのｘ座標検出パルスを印加する。すると１列目〜３列目の放電セルのデータ電極Ｄ１〜Ｄ３上と走査電極ＳＣ１〜ＳＣｎ上との交差部の電圧差は放電開始電圧を超え、データ電極Ｄ１〜Ｄ３と走査電極ＳＣ１〜ＳＣｎとの間および維持電極ＳＵ１〜ＳＵｎと走査電極ＳＣ１〜ＳＣｎとの間でｘ座標検出のための放電が起こる。そして、走査電極ＳＣ１〜ＳＣｎ上に正極性の壁電圧が蓄積され、維持電極ＳＵ１〜ＳＵｎ上に負極性の壁電圧が蓄積され、データ電極Ｄ１〜Ｄ３上にも負極性の壁電圧が蓄積される。このようにして、１列目〜３列目の放電セルで同時にｘ座標検出のための放電を起こして、１列目の画素列、すなわち１列目の放電セルで構成される１列目の放電セル列、２列目の放電セルで構成される２列目の放電セル列、３列目の放電セルで構成される３列目の放電セル列が発光する。
【００６４】
次に、走査電極ＳＣ１〜ＳＣｎにｘ座標検出電圧Ｖａｘを印加したまま、４列目〜６列目のデータ電極Ｄ４〜Ｄ６に電圧Ｖｄｘのｘ座標検出パルスを印加する。するとデータ電極Ｄ４〜Ｄ６と走査電極ＳＣ１〜ＳＣｎとの間および維持電極ＳＵ１〜ＳＵｎと走査電極ＳＣ１〜ＳＣｎとの間にｘ座標検出のための放電が起こり、２列目の画素列、すなわち４列目〜６列目の放電セル列が発光する。
【００６５】
以下同様に、データ電極３本ずつ、データ電極Ｄｍに至るまでｘ座標検出パルスを順次印加して、放電セル列３列ずつ、ｍ列目の放電セル列に至るまで順次発光させる。
【００６６】
こうしてｘ座標検出期間Ｐｘでは、表示画面の左端部から右端部まで走査する１本の縦線が表示される。そのため後述するように、ライトペンで放電セル列の発光を受光し、発光のタイミングを知ることでライトペンが示している表示画面の位置のｘ座標を検出することができる。ただし、縦線の走査する速度は非常に速いので、視覚的には表示画面全体が僅かに明るくなったようにしか見えない。以上により、ｘ座標検出期間Ｐｘが終了する。
【００６７】
なお本実施の形態において各電極に印加する電圧値は、例えば、電圧Ｖｉ１＝１５０（Ｖ）、電圧Ｖｉ２＝３５０（Ｖ）、電圧Ｖｉ３＝２００（Ｖ）、電圧Ｖｉ４＝−１７５（Ｖ）、電圧Ｖａ＝電圧Ｖａｙ＝電圧Ｖａｘ＝−２００（Ｖ）、電圧Ｖｃ＝−５０（Ｖ）、電圧Ｖｓ＝電圧Ｖｓｏ＝２０５（Ｖ）、電圧Ｖｒ＝２０５（Ｖ）、電圧Ｖｅ＝１５５（Ｖ）、電圧Ｖｄ＝電圧Ｖｄｙ＝電圧Ｖｄｘ＝５５（Ｖ）である。
【００６８】
このように本実施の形態においては、駆動回路の構成上、電圧Ｖａと電圧Ｖａｙと電圧Ｖａｘとは等しく設定され、電圧Ｖｄと電圧Ｖｄｙと電圧Ｖｄｘとも等しく設定されている。またサブフィールドＳＦ１の初期化期間Ｐｉａにおいて走査電極に印加する上り傾斜電圧の傾斜は、１．５（Ｖ／μｓ）、初期化期間Ｐｉａ、Ｐｉｂ、Ｐｉｃにおいて走査電極に印加する下り傾斜電圧の傾斜は、−２．５（Ｖ／μｓ）、維持期間Ｐｓの最後において走査電極に印加する上り傾斜電圧の傾斜は、１０（Ｖ／μｓ）である。ただしこれらの電圧値および傾斜電圧の傾斜は一例を挙げたに過ぎず、パネル１０の特性やプラズマディスプレイ装置の仕様等に合わせて、適宜最適な値に設定することが望ましい。
【００６９】
このように本実施の形態においては、１フィールド期間を、画像を表示するための画像表示サブフィールドＳＦ１〜ＳＦ８と、走査電極と維持電極とに交互にタイミング検出放電を発生させるタイミング検出パルスを印加するタイミング検出サブフィールドＳＦｏと、データ電極にｙ座標検出電圧を印加したまま走査電極にｙ座標検出パルスを順次印加するｙ座標検出サブフィールドＳＦｙと、走査電極にｘ座標検出電圧を印加したままデータ電極にｘ座標検出パルスを順次印加するｘ座標検出サブフィールドＳＦｘと、を含む複数のサブフィールドで構成している。
【００７０】
また本実施の形態においては、画像表示サブフィールドＳＦ２〜ＳＦ８とタイミング検出サブフィールドＳＦｏとｙ座標検出サブフィールドＳＦｙとｘ座標検出サブフィールドＳＦｘとにおいて、走査電極ＳＣ１〜ＳＣｎに下り傾斜電圧を印加するとともに、維持電極ＳＵ１〜ＳＵｎと走査電極ＳＣ１〜ＳＣｎとの間の放電開始電圧を超えずデータ電極Ｄ１〜Ｄｍと走査電極ＳＣ１〜ＳＣｎとの間の放電開始電圧を超える電圧に、維持電極ＳＵ１〜ＳＵｎとデータ電極Ｄ１〜Ｄｍとの電圧を設定した初期化期間Ｐｉｂ、Ｐｉｄを設けている。さらに、タイミング検出サブフィールドＳＦｏの初期化期間Ｐｉｃにおいて、走査電極にタイミング検出パルスの電圧Ｖｓｏよりも高い電圧Ｖｉ２まで上昇する上り傾斜電圧を印加することにより、それ以前の放電の履歴にかかわらず強制的に初期化放電を発生させる強制初期化動作を行っている。これにより、大画面、高精細度パネルであっても、位置座標を検出するための安定した放電を発生させ、精度よくライトペンの位置座標を検出することができる。
【００７１】
まず、初期化期間において走査電極ＳＣｉとデータ電極Ｄｋとの間で初期化放電を発生させ、その後に走査電極ＳＣｉと維持電極ＳＵｉとの間で初期化放電を発生させる理由について説明する。
【００７２】
電極間に傾斜電圧を印加して弱い放電を発生させると、電極間の電圧は放電開始電圧にほぼ保たれる。しかしながら発生したプライミングの影響をうけて実質的な放電開始電圧が低下して、電極間の電圧は放電開始電圧よりも低くなる傾向がある。そのため走査電極ＳＣｉとデータ電極Ｄｋとの間の放電、および走査電極ＳＣｉと維持電極ＳＵｉとの間の放電が同時に発生すると、それらの放電で発生するプライミングが干渉して、電極間の壁電圧が精度よく制御することが難しく、電セル毎の壁電圧のばらつきの要因になっていた。
【００７３】
このような壁電圧のばらつきを防ぐため本実施の形態においては、走査電極ＳＣｉとデータ電極Ｄｋとの間の初期化放電を発生させた後に、走査電極ＳＣｉと維持電極ＳＵｉとの間の初期化放電を発生させるように、各電極に印加する電圧を設定している。
【００７４】
次に、タイミング検出サブフィールドＳＦｏの初期化期間Ｐｉｃで強制初期化動作を行う理由について説明する。
【００７５】
タイミング検出サブフィールドＳＦｏのタイミング検出期間Ｐｏにおいて、タイミング検出放電を検出して座標基準信号を作成する。このときタイミング検出放電の発光が不安定となる、あるいは非発光となると、座標基準信号にタイミングのずれが発生する。そして座標基準信号のタイミングがずれると、タッチペンの位置に大きな誤差を生じて誤動作を引き起こすことになる。
【００７６】
タイミング検出サブフィールドＳＦｏに先行する画像表示サブフィールドＳＦ１〜ＳＦ８では、画像信号に応じて放電セルの発光、非発光が制御されるので、例えば黒を表示する領域では、最初の画像表示サブフィールドＳＦ１で初期化放電を発生した後は放電が発生しない。しかしながら本実施の形態においては、タイミング検出サブフィールドＳＦｏの初期化期間Ｐｉｃにおいて強制初期化動作を行うので、黒を表示する領域であっても、続く書込み放電、およびタイミング検出放電が安定して発生して、タッチペンの位置を正確に検出することができる。
【００７７】
なお本実施の形態においては、１フィールド期間に、画像を表示するための８個の画像表示サブフィールドＳＦ１〜ＳＦ８と、タイミング検出サブフィールドＳＦｏと、ｙ座標検出サブフィールドＳＦｙと、ｘ座標検出サブフィールドＳＦｘとが、この順序で配置されているとして説明した。しかし本発明は、上述したサブフィールド数、輝度重み等のサブフィールド構成に限定されるものではない。
【００７８】
例えば、画像表示サブフィールドＳＦ１〜ＳＦ８の前に、タイミング検出サブフィールドＳＦｏとｙ座標検出サブフィールドＳＦｙとｘ座標検出サブフィールドＳＦｘとを配置するように駆動するものであってもよい。また、タイミング検出サブフィールドＳＦｏとｙ座標検出サブフィールドＳＦｙとｘ座標検出サブフィールドＳＦｘとはすべてのフィールドに設ける必要はなく、表示する映像信号やプラズマディスプレイ装置の使用状態によっては数フィールドに１回の割合で設けるものであってもよい。
【００７９】
なお、実施の形態１においては、駆動電圧波形を中心に説明した。次に、本発明の実施の形態におけるプラズマディスプレイシステムについて、ライトペンとプラズマディスプレイ装置の間で無線通信を行う場合の方法およびその構成を含め、図面を用いて説明する。
【００８０】
（実施の形態２）
実施の形態２においても、画像表示サブフィールドは８個のサブフィールドＳＦ１〜ＳＦ８で構成され、サブフィールドＳＦ１の初期化期間で強制初期化動作を行い、サブフィールドＳＦ２〜ＳＦ８の初期化期間で選択初期化動作を行う。しかし各サブフィールドの初期化期間において実施の形態１とは異なる駆動電圧波形を用いた例について説明する。
【００８１】
図５は、本発明の実施の形態２におけるプラズマディスプレイ装置の駆動電圧波形図であり、画像表示サブフィールドのうちのサブフィールドＳＦ１〜ＳＦ３においてパネル１０の各電極に印加する駆動電圧波形を示している。
【００８２】
サブフィールドＳＦ１の初期化期間Ｐｉｅでは強制初期化動作を行う。便宜上初期化期間Ｐｉｅを第１１期間Ｐｉ１１から第１５期間Ｐｉ１５までの五つの期間に分け、それぞれの期間について説明する。
【００８３】
初期化期間Ｐｉｅの第１１期間Ｐｉ１１では、データ電極Ｄ１〜Ｄｍを電圧０（Ｖ）にした後でハイインピーダンス状態とし、維持電極ＳＵ１〜ＳＵｎに電圧０（Ｖ）を印加する。そして走査電極ＳＣ１〜ＳＣｎには電圧Ｖｉ１から電圧Ｖｉ２まで上昇する上り傾斜電圧を印加する。すると走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上に負極性の壁電圧が蓄積されるとともに、データ電極Ｄ１〜Ｄｍ上および維持電極ＳＵ１〜ＳＵｎ上には正極性の壁電圧が蓄積される。
【００８４】
なおデータ電極Ｄ１〜Ｄｍをハイインピーダンス状態にするのは、データ電極Ｄ１〜Ｄｍの電圧をある程度上昇させるためである。すると走査電極ＳＣ１〜ＳＣｎと維持電極ＳＵ１〜ＳＵｎとの間の放電が、走査電極ＳＣ１〜ＳＣｎとデータ電極Ｄ１〜Ｄｍとの間の放電よりも先に発生して、初期化放電を安定させることができる。
【００８５】
初期化期間Ｐｉｅの第１２期間Ｐｉ１２では、データ電極Ｄ１〜Ｄｍに電圧０（Ｖ）を印加し、維持電極ＳＵ１〜ＳＵｎに電圧Ｖｅを印加する。そして走査電極ＳＣ１〜ＳＣｎには電圧０（Ｖ）から電圧Ｖｉ４まで下降する下り傾斜電圧を印加する。この間に、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧は書込み動作に適した値に調整される。
【００８６】
初期化期間Ｐｉｅの第１３期間Ｐｉ１３では、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｒまで上昇する上り傾斜電圧を印加する。このとき第１２期間Ｐｉ１２において壁電圧が正しく調整された放電セルでは放電は発生しない。しかし何らかの理由で異常な壁電荷が残留している放電セルでは放電が発生して異常な壁電荷が消去される。
【００８７】
初期化期間Ｐｉｅの第１４期間Ｐｉ１４では、データ電極Ｄ１〜Ｄｍに電圧０（Ｖ）を印加し、維持電極ＳＵ１〜ＳＵｎに電圧Ｖｅを印加する。そして走査電極ＳＣ１〜ＳＣｎには電圧０（Ｖ）から電圧Ｖｉ４まで下降する下り傾斜電圧を印加する。このとき第１２期間Ｐｉ１２において壁電圧が正しく調整された放電セルでは放電は発生しない。しかし第１３期間Ｐｉ１３で放電を発生した放電セルでは、走査電極ｎ上の壁電圧および維持電極上の壁電圧が弱められ、データ電極上の壁電圧は書込み動作に適した値に調整される。
【００８８】
初期化期間Ｐｉｅの第１５期間Ｐｉ１５では、データ電極Ｄ１〜Ｄｍに電圧Ｖｄを印加し、維持電極ＳＵ１〜ＳＵｎに電圧Ｖｅを印加する。そして走査電極ＳＣ１〜ＳＣｎには、電圧Ｖｉ４よりも高い電圧、本実施の形態においては絶対値が電圧Ｖｉ４よりも小さい負極性の電圧Ｖｉ６まで下降する下り傾斜電圧を印加する。ここで第５期間Ｐｉ５においてデータ電極Ｄ１〜Ｄｍに印加する電圧Ｖｄから走査電極ＳＣ１〜ＳＣｎに印加する下り傾斜電圧の到達電圧Ｖｉ６を減じた電圧（Ｖｄ−Ｖｉ６）が、第１４期間Ｐｉ４においてデータ電極Ｄ１〜Ｄｍに印加する電圧０（Ｖ）から走査電極ＳＣ１〜ＳＣｎに印加する下り傾斜電圧の到達電圧Ｖｉ４を減じた電圧（０−Ｖｉ４）よりも高い電圧となるように設定されている。そのためデータ電極と走査電極との間に過剰な壁電圧が残留している放電セルがあると、第１５期間Ｐｉ１５においてもデータ電極と走査電極との間で微弱な放電が発生して壁電圧の過剰部分が放電されて、書込み動作に適した値に再調整される。以上により、強制的に初期化放電を行う初期化期間Ｐｉｅが終了する。
【００８９】
続く書込み期間Ｐｗでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎのそれぞれには電圧Ｖｃを印加する。本実施の形態において、この間の時間Ｔｗ０はおよそ５０μｓである。
【００９０】
次に、１行目の走査電極ＳＣ１に電圧Ｖａの走査パルスを印加する。そして、データ電極Ｄ１〜Ｄｍのうち１行目に発光させるべき放電セルのデータ電極Ｄｋに電圧Ｖｄの書込みパルスを印加する。本実施の形態において走査パルスおよび書込みパルスを印加する時間Ｔｗ１は１μｓである。すると書込みパルスを印加した放電セルで書込み放電が発生し、走査電極ＳＣ１上に正極性の壁電圧が蓄積され、維持電極ＳＵ１上に負極性の壁電圧が蓄積され、データ電極Ｄｋ上にも負極性の壁電圧が蓄積される。
【００９１】
以下同様に、走査電極ＳＣ２〜ＳＣｎに走査パルスを順次印加するとともに発光させるべき放電セルのデータ電極Ｄｋに書込みパルスを印加して、２行目〜ｎ行目に発光させるべき放電セルで書込み放電を発生させる。以上により書込み期間Ｐｗが終了する。
【００９２】
続く維持期間Ｐｓでは、データ電極Ｄ１〜Ｄｍに電圧０（Ｖ）を印加する。そして輝度重みに応じた数の維持パルスを走査電極ＳＣ１〜ＳＣｎと維持電極ＳＵ１〜ＳＵｎとに交互に印加し、書込み期間Ｐｗにおいて書込み放電を起こした放電セルで維持放電を継続して発生させる。
【００９３】
そして維持期間Ｐｓの最後には、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｒまで上昇する上り傾斜電圧を印加する。すると維持放電を発生した走査電極ＳＣｉと維持電極ＳＵｉとの間で微弱な消去放電が発生し、データ電極Ｄｋ上の正極性の壁電圧を残したまま、走査電極ＳＣｉ上および維持電極ＳＵｉ上の壁電圧を弱める。以上により維持期間Ｐｓが終了する。
【００９４】
サブフィールドＳＦ２の初期化期間Ｐｉｆでは選択初期化動作を行う。本実施の形態においても、最初に走査電極ＳＣｉとデータ電極Ｄｋとの間で選択的に初期化放電を発生させ、その後に走査電極ＳＣｉと維持電極ＳＵｉとの間で選択的に初期化放電を発生させる。便宜上サブフィールドＳＦ２の初期化期間Ｐｉｆを、第１６期間Ｐｉ１６と第１７期間Ｐｉ１７との二つの期間に分けて説明する。
【００９５】
初期化期間Ｐｉｆの第１６期間Ｐｉ１６では、走査電極ＳＣ１〜ＳＣｎに電圧０（Ｖ）から電圧Ｖｉ４まで下降する下り傾斜電圧を印加するとともに、データ電極Ｄ１〜Ｄｍに電圧０（Ｖ）を印加し、維持電極ＳＵ１〜ＳＵｎに電圧０（Ｖ）を印加する。すると、維持電極ＳＵ１〜ＳＵｎと走査電極ＳＣ１〜ＳＣｎとの間の電圧は放電開始電圧を超えず、直前のサブフィールドＳＦ１で維持放電を起こした放電セルのデータ電極Ｄｋと走査電極ＳＣｉとの間の電圧は放電開始電圧を超える。そして、走査電極ＳＣｉとデータ電極Ｄｋとの間で微弱な初期化放電が発生し、維持放電によって蓄積されたデータ電極Ｄｋ上の正極性の壁電圧の過剰な部分が放電され、書込み動作に適した壁電圧に調整される。一方、直前のサブフィールドＳＦ１で維持放電を起こさなかった放電セルでは放電は発生せず、直前のサブフィールドＳＦ１の初期化期間Ｐｉｅ終了時における壁電圧が保たれる。
【００９６】
ここで本実施の形態において走査電極ＳＣ１〜ＳＣｎに印加する下り傾斜電圧は、電圧Ｖｉ４まで下降する前に一旦傾斜を緩やかにする、あるいは一旦傾斜を止めて放電を停止させ、その後に再び電圧を電圧Ｖｉ４まで下降させて放電を再開させる。このような駆動電圧波形を走査電極ＳＣ１〜ＳＣｎに印加する理由は以下のとおりである。
【００９７】
電極間に傾斜電圧を印加して弱い放電を発生させると、発生したプライミングの影響で実質的な放電開始電圧が低下して、電極間の電圧は放電開始電圧よりも低くなる傾向がある。そのため傾斜電圧を印加した後、早期に放電が開始して放電の継続時間が長くなっている放電セルの電極間電圧は、放電の開始が遅れて放電の継続時間が短い放電セルの電極間電圧より低くなる。
【００９８】
このような壁電圧のばらつきを防ぐため本実施の形態においては、走査電極ＳＣ１〜ＳＣｎに印加する下り傾斜電圧を電圧Ｖｉ４まで下降させる前に一旦放電を停止させてプライミングを減少させる。そしてその後に電圧Ｖｉ４まで下降させて放電を再開させている。こうして安定した書込み放電に重要なデータ電極上の壁電圧を精度よく調整している。なお下降を停止する時間は５μｓ以上が望ましく、本実施の形態においては１０μｓである。
【００９９】
初期化期間Ｐｉｆの第１７期間Ｐｉ１７では、データ電極Ｄ１〜Ｄｍに電圧Ｖｄを印加し、維持電極ＳＵ１〜ＳＵｎに電圧Ｖｅを印加し、走査電極ＳＣ１〜ＳＣｎには電圧Ｖｉ６まで下降する下り傾斜電圧を印加する。すると、維持電極ＳＵｉと走査電極ＳＣｉとの間の電圧は放電開始電圧を超える。そして、直前のサブフィールドＳＦ１で維持放電を起こした放電セルでは、走査電極ＳＣｉと維持電極ＳＵｉとの間で微弱な初期化放電が発生し、走査電極ＳＣｉ上および維持電極ＳＵｉ上の壁電圧が弱められる。一方、直前のサブフィールドＳＦ１で維持放電を起こさなかった放電セルでは放電は発生せず、直前のサブフィールドＳＦ１の初期化期間Ｐｉｅ終了時における壁電圧が保たれる。
【０１００】
このときの初期化放電は、上述したように主に走査電極ＳＣｉと維持電極ＳＵｉとの間で発生する。しかし本実施の形態においては、第１７期間Ｐｉ１７においてデータ電極Ｄ１〜Ｄｍに印加する電圧Ｖｄから走査電極ＳＣ１〜ＳＣｎに印加する下り傾斜電圧の到達電圧Ｖｉ６を減じた電圧（Ｖｄ−Ｖｉ６）が、第１６期間Ｐｉ１６においてデータ電極Ｄ１〜Ｄｍに印加する電圧０（Ｖ）から走査電極ＳＣ１〜ＳＣｎに印加する下り傾斜電圧の到達電圧Ｖｉ４を減じた電圧（０−Ｖｉ４）よりも高い電圧となるように設定されている。そのためデータ電極と走査電極との間に過剰な壁電圧が残留している放電セルがあったとすると、第１７期間Ｐｉ１７においてもデータ電極と走査電極との間で微弱な放電が発生する。そして壁電圧の過剰部分が放電されて、書込み動作に適した値に再調整される。
【０１０１】
サブフィールドＳＦ２の書込み期間Ｐｗの動作はサブフィールドＳＦ１の書込み期間Ｐｗの動作と同様であるため説明を省略する。続く維持期間Ｐｓの動作も、維持パルスの数を除いてサブフィールドＳＦ１の維持期間Ｐｓの動作と同様である。サブフィールドＳＦ３〜ＳＦ８の動作も、維持パルスの数を除いてサブフィールドＳＦ２の動作と同様である。
【０１０２】
次に、タイミング検出サブフィールドＳＦｏ、ｙ座標検出サブフィールドＳＦｙ、ｘ座標検出サブフィールドＳＦｘの詳細について説明する。図６は、本発明の実施の形態２におけるプラズマディスプレイ装置の駆動電圧波形図であり、タイミング検出サブフィールドＳＦｏ、ｙ座標検出サブフィールドＳＦｙ、ｘ座標検出サブフィールドＳＦｘにおいてパネル１０の各電極に印加する駆動電圧波形を示している。またタイミング検出サブフィールドＳＦｏの直前に配置されたサブフィールドＳＦ８の維持期間Ｐｓの一部も示している。
【０１０３】
タイミング検出サブフィールドＳＦｏは、初期化期間Ｐｉｇと、書込み期間Ｐｗと、タイミング検出期間Ｐｏとを有する。
【０１０４】
タイミング検出サブフィールドＳＦｏの初期化期間Ｐｉｇでは強制初期化動作を行う。しかしながらサブフィールドＳＦ１の初期化期間Ｐｉｅとは異なる駆動電圧波形を各電極に印加する。ここではタイミング検出サブフィールドＳＦｏの初期化期間Ｐｉｇを第１８期間Ｐｉ１８、第１９期間Ｐｉ１９、第２０期間Ｐｉ２０期間の三つの期間に分けて説明する。
【０１０５】
初期化期間Ｐｉｇの第１８期間Ｐｉ１８では、データ電極Ｄ１〜Ｄｍを電圧０（Ｖ）にした後でハイインピーダンス状態とし、維持電極ＳＵ１〜ＳＵｎに電圧０（Ｖ）を印加する。そして走査電極ＳＣ１〜ＳＣｎには電圧Ｖｉ１から電圧Ｖｉ２まで上昇する上り傾斜電圧を印加する。すると走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上に負極性の壁電圧が蓄積されるとともに、データ電極Ｄ１〜Ｄｍ上および維持電極ＳＵ１〜ＳＵｎ上には正極性の壁電圧が蓄積される。
【０１０６】
初期化期間Ｐｉｇの第１９期間Ｐｉ１９では、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎには電圧０（Ｖ）から電圧Ｖｉ４まで下降する下り傾斜電圧を印加する。すると、維持電極ＳＵ１〜ＳＵｎと走査電極ＳＣ１〜ＳＣｎとの間の電圧は放電開始電圧を超えず、データ電極Ｄ１〜Ｄｍと走査電極ＳＣ１〜ＳＣｎとの間の電圧は放電開始電圧を超える。そして、走査電極ＳＣ１〜ＳＣｎとデータ電極Ｄ１〜Ｄｍとの間で微弱な初期化放電が発生し、第１８期間Ｐｉ１８において蓄積されたデータ電極Ｄ１〜Ｄｍ上の正極性の壁電圧の過剰な部分が放電され、書込み動作に適した壁電圧に調整される。
【０１０７】
ここでもデータ電極Ｄ１〜Ｄｍ上の壁電圧を精度よく調整するために、走査電極ＳＣ１〜ＳＣｎに印加する下り傾斜電圧は、電圧Ｖｉ４まで下降する前に一旦傾斜を緩やかにする、あるいは一旦傾斜を止めて放電を停止させ、その後に再び電圧を電圧Ｖｉ４まで下降させて放電を再開させている。
【０１０８】
初期化期間Ｐｉｇの第２０期間Ｐｉ２０では、データ電極Ｄ１〜Ｄｍに電圧Ｖｄを印加し、維持電極ＳＵ１〜ＳＵｎに電圧Ｖｅを印加し、走査電極ＳＣ１〜ＳＣｎには電圧Ｖｉ６まで下降する下り傾斜電圧を印加する。すると、維持電極ＳＵ１〜ＳＵｎと走査電極ＳＣ１〜ＳＣｎとの間の電圧は放電開始電圧を超える。そして、走査電極ＳＣ１〜ＳＣｎと維持電極ＳＵ１〜ＳＵｎとの間で微弱な初期化放電が発生し、走査電極ＳＣ１〜ＳＣｎ上および維持電極ＳＵ１〜ＳＵｎ上の壁電圧が弱められる。
【０１０９】
ここでもこのときの初期化放電は主に走査電極ＳＣ１〜ＳＣｎと維持電極ＳＵ１〜ＳＵｎとの間で発生する。しかしデータ電極と走査電極との間に過剰な壁電圧が残留している放電セルがあったとすると、第２０期間Ｐｉ２０においてもデータ電極と走査電極との間で微弱な放電が発生する。そして壁電圧の過剰部分が放電されて、書込み動作に適した値に再調整される。
【０１１０】
このように、タイミング検出サブフィールドＳＦｏの初期化期間Ｐｉｇでは、第１９期間Ｐｉ１９で走査電極ＳＣ１〜ＳＣｎとデータ電極Ｄ１〜Ｄｍとの間の初期化放電を発生させ、第２０期間Ｐｉ２０で走査電極ＳＣ１〜ＳＣｎと維持電極ＳＵ１〜ＳＵｎとの間の初期化放電を発生させている。
【０１１１】
タイミング検出サブフィールドＳＦｏの書込み期間Ｐｗは、実施の形態１における書込み期間Ｐｗと同様である。すなわち、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎのそれぞれには電圧Ｖｃを印加する。その後、データ電極Ｄ１〜Ｄｍに電圧Ｖｄの書込みパルスを印加するとともに走査電極ＳＣ１〜ＳＣｎに電圧Ｖａの走査パルスを印加して、全ての放電セルで書込み放電を発生させる。
【０１１２】
タイミング検出サブフィールドＳＦｏのタイミング検出期間Ｐｏは、実施の形態１におけるタイミング検出期間Ｐｏと同様である。すなわち、時刻ｔｏ１において１回目のタイミング検出放電を発生させ、時刻ｔｏ２において２回目のタイミング検出放電を発生させ、時刻ｔｏ３において３回目のタイミング検出放電を発生させ、時刻ｔｏ４において４回目のタイミング検出放電を発生させる。
【０１１３】
そしてタイミング検出期間Ｐｏの最後には、走査電極ＳＣ１〜ＳＣｎに電圧Ｖｒまで上昇する上り傾斜電圧を印加して微弱な消去放電を発生させる。
【０１１４】
ｙ座標検出サブフィールドＳＦｙの初期化期間Ｐｉｆでは、サブフィールドＳＦ２の初期化期間Ｐｉｆの選択初期化動作と同様の初期化動作を行う。ただし直前のタイミング検出サブフィールドＳＦｏでは全ての放電セルでタイミング検出放電を発生させているので、ここでは全ての放電セルで初期化放電が発生する。すなわち、初期化期間Ｐｉｆの第１６期間Ｐｉ１６では、走査電極ＳＣ１〜ＳＣｎに電圧０（Ｖ）から電圧Ｖｉ４まで下降する下り傾斜電圧を印加するとともに、データ電極Ｄ１〜Ｄｍに電圧０（Ｖ）を印加し、維持電極ＳＵ１〜ＳＵｎに電圧０（Ｖ）を印加する。すると、走査電極ＳＣ１〜ＳＣｎとデータ電極Ｄ１〜Ｄｍとの間で微弱な初期化放電が発生し、データ電極Ｄ１〜Ｄｍ上の壁電圧の過剰な部分が放電され、続くｙ座標検出動作に適した壁電圧に調整される。初期化期間Ｐｉｆの第１７期間Ｐｉ１７では、データ電極Ｄ１〜Ｄｍに電圧Ｖｄを印加し、維持電極ＳＵ１〜ＳＵｎに電圧Ｖｅを印加し、走査電極ＳＣ１〜ＳＣｎには電圧Ｖｉ６まで下降する下り傾斜電圧を印加する。すると、走査電極ＳＣ１〜ＳＣｎと維持電極ＳＵ１〜ＳＵｎとの間で微弱な初期化放電が発生し、走査電極ＳＣ１〜ＳＣｎ上および維持電極ＳＵ１〜ＳＵｎ上の壁電圧が弱められる。
【０１１５】
ｙ座標検出サブフィールドＳＦｙのｙ座標検出期間Ｐｙは、実施の形態１におけるｙ座標検出期間Ｐｙと同様である。すなわち、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎのそれぞれには電圧Ｖｃを印加する。そして時間Ｔｗ０よりも長い所定の時間Ｔｙ０の間、この状態を保つ。本実施の形態において時間Ｔｙ０はおよそ７００μｓである。
【０１１６】
次に、データ電極Ｄ１〜Ｄｍにｙ座標検出電圧Ｖｄｙを印加したまま走査電極ＳＣ１〜ＳＣｎにｙ座標検出パルスを順次印加して、１行目〜ｎ行目の放電セル行を順次発光させる。こうしてｙ座標検出期間Ｐｙでは、表示画面の上端部から下端部まで走査する１本の横線が表示される。
【０１１７】
なお本実施の形態においてｙ座標検出パルスを印加する時間Ｔｙ１は１μｓである。したがって、例えばｎ＝１０８０であれば、ｙ座標検出期間Ｐｙの時間は、Ｔｙ０＋Ｔｙ１×１０８０＝１７８０μｓである。以上によりｙ座標検出期間Ｐｙが終了する。
【０１１８】
ｘ座標検出サブフィールドＳＦｘの初期化期間Ｐｉｈでは強制初期化動作を行う。しかしながらｘ座標検出サブフィールドＳＦｘの初期化期間Ｐｉｈでは、サブフィールドＳＦ１の初期化期間Ｐｉｅおよびタイミング検出サブフィールドＳＦｏの初期化期間Ｐｉｇとは異なる駆動電圧波形を各電極に印加する。ここではｘ座標検出サブフィールドＳＦｘの初期化期間Ｐｉｈを第２１期間Ｐｉ２１、第２２期間Ｐｉ２２、第２３期間Ｐｉ２３期間の三つの期間に分けて説明する。
【０１１９】
初期化期間Ｐｉｈの第２１期間Ｐｉ２１では、データ電極Ｄ１〜Ｄｍを電圧０（Ｖ）にした後でハイインピーダンス状態とし、維持電極ＳＵ１〜ＳＵｎに電圧０（Ｖ）を印加する。そして走査電極ＳＣ１〜ＳＣｎには電圧Ｖｉ１から電圧Ｖｉ２まで上昇する上り傾斜電圧を印加する。すると走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上に負極性の壁電圧が蓄積されるとともに、データ電極Ｄ１〜Ｄｍ上および維持電極ＳＵ１〜ＳＵｎ上には正極性の壁電圧が蓄積される。
【０１２０】
初期化期間Ｐｉｈの第２２期間Ｐｉ２２では、走査電極ＳＣ１〜ＳＣｎには電圧０（Ｖ）から電圧Ｖｉ４よりも低い電圧Ｖａまで下降する下り傾斜電圧を印加するとともに、維持電極ＳＵ１〜ＳＵｎと走査電極ＳＣ１〜ＳＣｎとの間の電圧は放電開始電圧を超えず、データ電極Ｄ１〜Ｄｍと走査電極ＳＣ１〜ＳＣｎとの間の電圧は放電開始電圧を超えるように、データ電極Ｄ１〜Ｄｍに電圧０（Ｖ）を印加し、維持電極ＳＵ１〜ＳＵｎに電圧０（Ｖ）を印加する。すると、走査電極ＳＣ１〜ＳＣｎとデータ電極Ｄ１〜Ｄｍとの間で微弱な初期化放電が発生し、第２１期間Ｐｉ２１において蓄積されたデータ電極Ｄ１〜Ｄｍ上の正極性の壁電圧の過剰な部分が放電され、書込み動作に適した壁電圧に調整される。ただしデータ電極Ｄ１〜Ｄｍ上に残留する正極性の壁電圧は、各サブフィールドの初期化期間Ｐｉｅ、Ｐｉｆ、Ｐｉｇにおいてデータ電極Ｄ１〜Ｄｍ上に残留する正極性の壁電圧よりも少ない値に調整される。
【０１２１】
このように、ｘ座標検出サブフィールドＳＦｘの初期化期間Ｐｉｈの第２２期間Ｐｉ２２において走査電極ＳＣ１〜ＳＣｎに印加する下り傾斜電圧の到達電圧Ｖａは、画像表示サブフィールドＳＦ１〜ＳＦ８の初期化期間Ｐｉｅ、Ｐｉｆにおいて走査電極ＳＣ１〜ＳＣｎに印加する下り傾斜電圧の到達電圧Ｖｉ４よりも低い電圧Ｖａである。そのためデータ電極Ｄ１〜Ｄｍ上に残留する正極性の壁電圧は、サブフィールドＳＦ１〜ＳＦ８の初期化期間Ｐｉｅ、Ｐｉｆにおいてデータ電極Ｄ１〜Ｄｍ上に残留する正極性の壁電圧よりも少ない。
【０１２２】
初期化期間Ｐｉｈの第２３期間Ｐｉ２３では、データ電極Ｄ１〜Ｄｍに電圧Ｖｄを印加し、維持電極ＳＵ１〜ＳＵｎに電圧Ｖｅを印加し、走査電極ＳＣ１〜ＳＣｎには電圧Ｖｉ６まで下降する下り傾斜電圧を印加する。すると、維持電極ＳＵ１〜ＳＵｎと走査電極ＳＣ１〜ＳＣｎとの間の電圧は放電開始電圧を超える。そして、走査電極ＳＣ１〜ＳＣｎと維持電極ＳＵ１〜ＳＵｎとの間で微弱な初期化放電が発生し、走査電極ＳＣ１〜ＳＣｎ上および維持電極ＳＵ１〜ＳＵｎ上の壁電圧が弱められる。
【０１２３】
これによりデータ電極Ｄ１〜Ｄｍ上に残留する正極性の壁電圧を、画像表示サブフィールドＳＦ１〜ＳＦ８の初期化期間Ｐｉｅ、Ｐｉｇにおいてデータ電極Ｄ１〜Ｄｍ上に残留する正極性の壁電圧よりも少ない値に調整することができる。以上によりｘ座標検出サブフィールドＳＦｘの初期化期間Ｐｉｈが終了する。
【０１２４】
ｘ座標検出サブフィールドＳＦｘのｘ座標検出期間Ｐｘは、実施の形態１におけるｘ座標検出期間Ｐｘと同様である。すなわち、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎのそれぞれには電圧Ｖｃを印加する。そして時間Ｔｗ０よりも長い所定の時間Ｔｘ０の間、この状態を保つ。所定の時間Ｔｘ０は、２００μｓ以上、１ｍｓ以下の時間に設定することが望ましく、本実施の形態において時間Ｔｘ０はおよそ７００μｓである。
【０１２５】
次に、走査電極ＳＣ１〜ＳＣｎにｘ座標検出電圧Ｖａｘを印加したまま、データ電極３本ずつ、データ電極Ｄｍに至るまでｘ座標検出パルスを順次印加して、放電セル列３列ずつ、ｍ列目の放電セル列に至るまで順次発光させる。こうしてｘ座標検出期間Ｐｘでは、表示画面の左端部から右端部まで走査する１本の縦線が表示される。
【０１２６】
なお本実施の形態においてデータパルスを印加する時間Ｔｘ１は１μｓである。したがって、例えばｍ＝１９２０×３であれば、ｘ座標検出期間Ｐｘの時間は、Ｔｘ０＋Ｔｘ１×１９２０＝２６２０μｓである。以上により、ｘ座標検出期間Ｐｘが終了する。
【０１２７】
このように、ｘ座標検出サブフィールドＳＦｘの初期化期間Ｐｉｄにおいては、走査電極ＳＣ１〜ＳＣｎに印加する下り傾斜電圧の到達電圧Ｖａを、画像表示サブフィールドＳＦ２〜ＳＦ８の初期化期間Ｐｉｂにおいて走査電極ＳＣ１〜ＳＣｎに印加する下り傾斜電圧の到達電圧Ｖｉ４よりも低い電圧に設定している。以下にその理由について説明する。
【０１２８】
上述したように、画像表示サブフィールドＳＦ１〜ＳＦ８の書込み期間Ｐｗにおいて、走査電極ＳＣ１〜ＳＣｎには電圧｜Ｖａ−Ｖｃ｜の波高値をもつ走査パルスを印加し、データ電極Ｄ１〜Ｄｍには電圧｜Ｖｄ｜の波高値をもつ書込みパルスを印加する。加えて、ｙ座標検出サブフィールドＳＦｙのｙ座標検出期間Ｐｙにおいてデータ電極Ｄ１〜Ｄｍに印加するｙ座標検出電圧Ｖｄｙ（＝電圧Ｖｄ）をパルス幅の広い座標検出パルス、ｘ座標検出サブフィールドＳＦｘのｘ座標検出期間Ｐｘにおいて走査電極ＳＣ１〜ＳＣｎに印加するｘ座標検出電圧Ｖａｘ（＝電圧Ｖａ）をそれぞれパルス幅の広い座標検出パルスと考えると、ｙ座標検出期間Ｐｙおよびｘ座標検出期間Ｐｘにおいても、走査電極ＳＣ１〜ＳＣｎには電圧｜Ｖａ−Ｖｃ｜の波高値をもつ座標検出パルスを印加し、データ電極Ｄ１〜Ｄｍには電圧｜Ｖｄ｜の波高値をもつ座標検出パルスを印加している。
【０１２９】
ここで走査電極ＳＣ１〜ＳＣｎに印加する走査パルスおよび座標検出パルスとデータ電極Ｄ１〜Ｄｍに印加する書込みパルスおよび座標検出パルスの波高値は、両方のパルスが印加された放電セルで放電が発生し、一方のパルスのみが印加された放電セルでは放電が発生しない値に設定されている。しかしながら一方のパルスしか印加されていない放電セルであっても壁電荷は少しずつ減少する。そして印加されるパルスの波高値が大きいほど壁電荷の減少量は大きくなり、印加されるパルスのパルス幅または印加時間が長いほど壁電荷の減少量は大きくなる。
【０１３０】
画像表示サブフィールドＳＦ１〜ＳＦ８の書込み期間Ｐｗでは、データ電極Ｄ１〜Ｄｍのそれぞれに印加する書込みパルスの印加時間は画像信号に依存して長くなることがある。しかし走査電極ＳＣ１〜ＳＣｎのそれぞれに印加する走査パルスのパルス幅は短い。そこで書込み期間Ｐｗにおける壁電荷の減少を抑えるために、印加時間の長くなる書込みパルスの波高値を小さく、印加時間の短い走査パルスの波高値を大きく設定している。本実施の形態においては、書込みパルスの波高値は｜Ｖｄ｜＝５５（Ｖ）、走査パルスの波高値は｜Ｖａ−Ｖｃ｜＝１５０（Ｖ）である。
【０１３１】
しかしながらｘ座標検出サブフィールドＳＦｘのｘ座標検出期間Ｐｘでは、データ電極Ｄ１〜Ｄｍに印加するそれぞれのｘ座標検出パルスのパルス幅は短いものの、走査電極ＳＣ１〜ＳＣｎに印加するｘ座標検出電圧Ｖａｘの印加時間は非常に長くなる。一方、上述したように本実施の形態においては、電圧Ｖｄｘと電圧Ｖｄとは等しい電圧に設定され、電圧Ｖａｘと電圧Ｖａとは等しい電圧に設定されている。そのため、ｘ座標検出サブフィールドＳＦｘの駆動電圧波形については、壁電荷の減少を抑えるための特別な工夫が必要となる。
【０１３２】
本実施の形態においては、ｘ座標検出サブフィールドＳＦｘの初期化期間Ｐｉｄにおいて走査電極ＳＣ１〜ＳＣｎに印加する下り傾斜電圧の到達電圧Ｖａを、画像表示サブフィールドＳＦ２〜ＳＦ８の初期化期間Ｐｉｂにおいて走査電極ＳＣ１〜ＳＣｎに印加する下り傾斜電圧の到達電圧Ｖｉ４よりも低い電圧に設定している。するとデータ電極Ｄ１〜Ｄｍ上に残留する正極性の壁電圧は、画像表示サブフィールドＳＦ１〜ＳＦ８の初期化期間Ｐｉａ、Ｐｉｂにおいてデータ電極Ｄ１〜Ｄｍ上に残留する正極性の壁電圧よりも少ない値に調整される。これにより、ｘ座標検出サブフィールドＳＦｘのｘ座標検出期間Ｐｘにおいて走査電極ＳＣ１〜ＳＣｎに電圧Ｖａｘを印加した直後に流れる暗電流を抑制できるので、ｘ座標検出期間Ｐｘの初期の壁電荷の減少を抑えることができる。
【０１３３】
なお本実施の形態において各電極に印加する電圧値は、例えば、電圧Ｖｉ６＝−１４０（Ｖ）であり、他の電圧は実施の形態１と同じである。ただしこれらの電圧値は一例を挙げたに過ぎず、パネル１０の特性やプラズマディスプレイ装置の仕様等に合わせて、適宜最適な値に設定することが望ましい。
【０１３４】
次に、プラズマディスプレイシステムの構成について説明する。図７は、本発明の実施の形態２におけるプラズマディスプレイシステム３０の回路ブロック図である。プラズマディスプレイ装置は、第１の方向に延びた複数の走査電極および維持電極と第１の方向に交差する第２の方向に延びた複数のデータ電極とを有するパネル１０と、１フィールド期間を複数のサブフィールドで構成してパネル１０を駆動する駆動回路とを備えている。そしてプラズマディスプレイシステム３０は、プラズマディスプレイ装置とライトペン５０とを備えている。
【０１３５】
プラズマディスプレイ装置の駆動回路は、画像信号処理回路３１、データ電極駆動回路３２、走査電極駆動回路３３、維持電極駆動回路３４、タイミング発生回路３５、描画回路４４、受信回路４６、および各回路ブロックに必要な電源を供給する電源回路（図示せず）を備えている。
【０１３６】
プラズマディスプレイ装置の画像信号処理回路３１は、入力した画像信号と描画回路４４から出力される描画信号とを合成し、サブフィールド毎の発光・非発光を示す画像データに変換する。データ電極駆動回路３２は、画像データをデータ電極Ｄ１〜Ｄｍのそれぞれに対応する書込みパルスに変換し、データ電極Ｄ１〜Ｄｍのそれぞれに印加する。
【０１３７】
タイミング発生回路３５は、水平および垂直の同期信号をもとにして各回路ブロックの動作を制御する各種のタイミング信号を発生し、それぞれの回路ブロックへ供給する。また座標を検出するための座標基準信号を座標算出回路５６に出力する。走査電極駆動回路３３はタイミング信号に基づいて走査電極ＳＣ１〜ＳＣｎのそれぞれに駆動電圧を印加し、維持電極駆動回路３４はタイミング信号に基づいて維持電極ＳＵ１〜ＳＵｎに駆動電圧を印加する。
【０１３８】
ライトペン５０は、パネル１０の表示画面上から文字や絵などを入力するためのものであり、受光素子５２と、タイミング検出回路５４と、座標算出回路５６と、送信回路５８とを備えている。またライトペン５０の先端部には接触スイッチ（図示せず）が設けられている。
【０１３９】
受光素子５２は、ライトペン５０がパネル１０の表示画面に接触しているとき、パネル１０の発光を受光して、タイミング検出回路５４および座標算出回路５６に受光信号を出力する。
【０１４０】
タイミング検出回路５４は、受光信号の中から、あらかじめ定められた所定の数列に対応する時間間隔で発生した発光を検出し、タイミング検出サブフィールドＳＦｏのタイミング検出期間Ｐｏのタイミング検出放電を特定する。具体的には受光信号の中から、発光の間隔が順に時間Ｔｏ１、時間Ｔｏ２、時間Ｔｏ３となる４個の連続する発光を探す。そして４個の連続する発光の１つを基準にして座標基準信号を作成し、座標算出回路５６に出力する。
【０１４１】
座標算出回路５６は、時間の長さを計測するためのカウンタと、カウンタの出力に演算を施す演算回路とを備える。そして座標基準信号および受光信号にもとづき、ライトペン５０が示している表示画面のｘ座標およびｙ座標を算出する。
【０１４２】
送信回路５８は、座標算出回路５６が算出したｘ座標およびｙ座標をエンコードして受信回路４６に無線で送信する。
【０１４３】
プラズマディスプレイ装置の受信回路４６は、ライトペン５０の送信回路５８から送られる無線信号をデコードして、ｘ座標およびｙ座標に変換して描画回路４４に出力する。そして描画回路４４はフレームメモリを備え、ライトペン５０の座標算出回路５６が算出したｘ座標およびｙ座標にもとづき、表示画面上のライトペン５０の軌跡を示す描画信号を作成し、画像信号処理回路３１に出力する。
【０１４４】
次に本実施の形態におけるプラズマディスプレイシステムの動作について説明する。図８は、本発明の実施の形態２におけるプラズマディスプレイシステムのタイミングチャートである。また図９は、本発明の実施の形態２におけるプラズマディスプレイシステム３０の位置座標検出方法を説明する模式図である。
【０１４５】
タイミング検出回路５４は、受光信号の中から、発光の間隔が順に時間Ｔｏ１、時間Ｔｏ２、時間Ｔｏ３となる４個の連続する発光を探す。そして４個の連続する発光の１つ、例えば、タイミング検出期間Ｐｏの時刻ｔｏ１に発生した発光を基準とし、あらかじめ分かっている時間Ｔｏｙおよび時間Ｔｏｘに基づいて、時刻ｔｙ０と時刻ｔｘ０とに立上りエッジを有する座標基準信号を作成し、座標算出回路５６に出力する。
【０１４６】
ｙ座標検出サブフィールドＳＦｙのｙ座標検出期間Ｐｙにおいて第１の方向に延びた線状の発光を第２の方向に走査させることにより、パネル１０の表示画面上には、図８に示したように、表示画面の上端部から下端部まで走査する１本の横線Ｌｙが表示される。そしてライトペン５０が示している表示画面の座標（ｘ、ｙ）を横線Ｌｙが通過する時刻ｔｙｙにおいて、ライトペン５０の受光素子は横線Ｌｙの発光を受光する。そのため、受光素子は、図９に示したように時刻ｔｙｙで受光を示す受光信号を出力する。
【０１４７】
また、ｘ座標検出サブフィールドＳＦｘのｘ座標検出期間Ｐｘにおいて第２の方向に延びた線状の発光を第１の方向に走査させることにより、パネル１０の表示画面上には、図８に示したように、表示画面の左端部から右端部まで走査する１本の縦線Ｌｘが表示される。そしてライトペン５０が示している表示画面の座標（ｘ、ｙ）を縦線Ｌｘが通過する時刻ｔｘｘにおいて、ライトペン５０の受光素子は縦線Ｌｘの発光を受光する。そのため、受光素子は、図９に示したように時刻ｔｘｘで受光を示す受光信号を出力する。
【０１４８】
座標算出回路５６は、ｙ座標検出期間Ｐｙにおいてタイミング発生回路３５から出力される座標基準信号とライトペン５０の受光素子から出力される受光信号にもとづき、時刻ｔｙ０から時刻ｔｙｙまでの時間Ｔｙｙを測定する。そして時間Ｔｙｙを時間Ｔｙ１で除算してｙ座標を求める。またｘ座標検出期間Ｐｘにおいてタイミング発生回路３５から出力される座標基準信号とライトペン５０の受光素子から出力される受光信号にもとづき、時刻ｔｘ０から時刻ｔｘｘまでの時間Ｔｘｘを測定する。そして時間Ｔｘｘを時間Ｔｘ１で除算してｘ座標を求める。このようして座標算出回路５６は、ライトペン５０が示している表示画面の座標（ｘ、ｙ）を求める。
【０１４９】
図１０は、本発明の実施の形態２におけるプラズマディスプレイシステム３０の描画の一例を示す模式図である。描画回路４４は、座標算出回路５６が算出した座標（ｘ、ｙ）に対応する画素を中心に、所定の色および大きさの丸などのパターンをフレームメモリに書込む。使用者がライトペンをパネル１０の画像表示面に接触させたままライトペンを移動させると、座標算出回路５６が算出する座標（ｘ、ｙ）も移動する。そして描画回路４４は移動する座標（ｘ、ｙ）を中心に所定のパターンをフレームメモリに順次書き込む。こうして描画回路４４は、図１０に示したように、表示画面上のライトペン５０の軌跡を示す描画信号を作成する。
【０１５０】
画像信号処理回路３１は、入力した画像信号と描画回路４４から出力される描画信号とを合成し、サブフィールド毎の発光・非発光を示す画像データに変換する。これにより、ライトペンで書いた画像と入力した画像信号の画像とが重畳されて表示される。
【０１５１】
このように、本実施の形態においては、１フィールド期間を構成する複数のサブフィールドは、画像を表示するための複数の画像表示サブフィールドＳＦ１〜ＳＦｎと、走査電極ＳＣ１〜ＳＣｎと維持電極ＳＵ１〜ＳＵｎとに交互にタイミング検出パルスを印加して画像表示に関係しない複数回のタイミング検出放電を発生させるタイミング検出サブフィールドＳＦｏと、データ電極Ｄ１〜Ｄｍにｙ座標検出電圧Ｖｄｙを印加したまま走査電極ＳＣ１〜ＳＣｎにｙ座標検出パルスを順次印加して第１の方向に延びた線状の発光を第２の方向に走査させるｙ座標検出サブフィールドＳＦｙと、走査電極ＳＣ１〜ＳＣｎにｘ座標検出電圧Ｖａｘを印加したままデータ電極Ｄ１〜Ｄｍにｘ座標検出パルスを順次印加して第２の方向に延びた線状の発光を第１の方向に走査させるｘ座標検出サブフィールドＳＦｘとを有する。
【０１５２】
そして、タイミング検出サブフィールドＳＦｏにおいて、あらかじめ定められた所定の数列Ｔｏ１、Ｔｏ２、Ｔｏ３に対応する時間間隔で画像表示に関係しない複数回のタイミング検出放電を発生させる。
【０１５３】
また本実施の形態におけるプラズマディスプレイシステム３０のライトペン５０は、パネル１０の発光を受光して受光信号を出力する受光素子５２と、ｙ座標検出サブフィールドおよびｘ座標検出サブフィールドと同期した座標基準信号を受光信号にもとづき作成するタイミング検出回路５４と、ライトペン５０が指示すプラズマディスプレイ装置の表示画面上の座標を座標基準信号と受光信号にもとづき算出する座標算出回路５６と、座標算出回路５６が算出した座標をプラズマディスプレイ装置に送信する送信回路５８とを有する。またプラズマディスプレイ装置は、ライトペン５０から送信された座標を受信する受信回路４６と、受信回路４６で受信した座標にもとづき描画信号を作成する描画回路４４とを有する。そして、ライトペン５０で座標基準信号を作成してｘ座標およびｙ座標を算出し、その座標データを無線で送信している。この構成は、無線通信時にパネルの発光と同期しないタイミングで通信を行い、通信で正確なタイミングを伝えられない場合に有効である。
【０１５４】
なお、実施の形態２においては、描画専用の描画回路４４をプラズマディスプレイ装置に内蔵した構成について示したが、プラズマディスプレイ装置に接続したコンピュータを用いて描画信号を作成する構成であってもよい。
【０１５５】
また実施の形態１、２においては、ｙ座標検出期間Ｐｙに１行分の放電セル行を順次発光させて、表示画面の上端部から下端部まで走査する横線を示した。しかし本発明はこれに限定されるものではない。例えば、２行分ずつ放電セル行を順次発光させて走査する横線を表示してもよく、また１行おきに放電セル行を発光させて走査する横線を表示してもよい。同様に、ｙ座標検出期間Ｐｙにおいても、３列分の放電セル列を順次発光させて走査する横線を示したが、任意の複数列ずつ放電セル列を順次発光させてもよく、また複数列おきに放電セル列を発光させてもよい。これによりｙ座標検出サブフィールドＳＦｙ、ｘ座標検出サブフィールドＳＦｘに要する時間を短縮することができる。
【０１５６】
また実施の形態１、２においては、１フィールド期間を、常に画像表示サブフィールドと座標検出のためのサブフィールドとを有する構成としたが、使用者がライトペンを使用しないときは、１フィールド期間を画像表示サブフィールドのみで構成してもよい。
【０１５７】
また実施の形態１、２において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【０１５８】
本発明は、大画面、高精細度パネルであっても、位置座標を検出するための安定した放電を発生させ、ライトペンの位置座標を正しく検出することができるので、プラズマディスプレイパネルの駆動方法、プラズマディスプレイ装置、およびライトペンを用いて描画可能なプラズマディスプレイシステムとして有用である。
【符号の説明】
【０１５９】
１０    パネル
１２    走査電極
１３    維持電極
２２    データ電極
３０    プラズマディスプレイシステム
３１    画像信号処理回路
３２    データ電極駆動回路
３３    走査電極駆動回路
３４    維持電極駆動回路
３５    タイミング発生回路
４４    描画回路
４６    受信回路
５０    ライトペン
５２    受光素子
５４    タイミング検出回路
５６    座標算出回路
５８    送信回路
【図１】
2015084008.tif 000003
【図２】
2015084008.tif 000004
【図３】
2015084008.tif 000005
【図４】
2015084008.tif 000006
【図５】
2015084008.tif 000007
【図６】
2015084008.tif 000008
【図７】
2015084008.tif 000009
【図８】
2015084008.tif 000010
【図９】
2015084008.tif 000011
【図１０】
2015084008.tif 000012